(57)【特許請求の範囲】
【請求項１】
ハンドルを回転操作することによって、該ハンドルによって回転操作される回転軸を介して、機器を操作するようにしたハンドル操作装置において、回転軸の軸端部に嵌合する円柱形状の中心軸部材に、ハンドルの円筒形状の中心嵌合部を遊嵌し、中心軸部材に形成した嵌合凹部に、ハンドルに配設した施錠機構によって操作される嵌合部材を嵌合状態にすることによってハンドルが嵌合部材及び中心軸部材を介して回転軸とロックされる連結状態と、嵌合状態を解除することによってハンドルが回転軸とフリーになる非連結状態とに選択可能とし、回転軸の軸端部に対する中心軸部材の嵌合状態を解除することによってハンドルを回転軸から取り外すことができるようにしたことを特徴とするハンドル操作装置。
【請求項２】
前記嵌合凹部及び嵌合部材を等角度間隔に複数設け、前記施錠機構によって、連動機構を介して、複数の嵌合部材を操作するようにしたことを特徴とする請求項１に記載のハンドル操作装置。
【発明の詳細な説明】
【技術分野】
【０００１】
本発明は、ハンドル操作装置に関し、特に、農業用水路を開閉するために設置される水路のゲート装置等の機器を操作するためのハンドル操作装置に関するものである。
【背景技術】
【０００２】
例えば、農業用水路を開閉するために設置される水路のゲート装置は、水路に設置された扉体を昇降させたり起伏させることにより水路を開閉するようになっている。この扉体を開閉動作させる機構としては、ラック・ピニオンによる昇降機構や、ワイヤの巻上げ巻戻し機構等が多用されている。そして、昇降機構や巻上げ巻戻し機構は、ハンドルの回転操作により動作させるものが多用されており、水路の管理者がハンドルを操作して扉体を動作させるようになっている。
【０００３】
ところで、水路のゲート装置には、通常、管理者以外の第三者も近づけるため、第三者が不正にハンドルを操作することがあり、これによって、閉じておくべき扉体が開かれてしまう等のトラブルが発生するという問題があった。
【０００４】
この問題に対処するため、管理者のみが扉体を操作でき、管理者以外の第三者は扉体を操作できないようにする施錠機構を備えたハンドル操作装置が提案されている（例えば、特許文献１参照。）。
【先行技術文献】
【特許文献】
【０００５】
【特許文献１】特開平１０−６０８６９号公報
【発明の概要】
【発明が解決しようとする課題】
【０００６】
ところで、特許文献１に記載のハンドル操作装置は、施錠時にはハンドルは空回りするだけであり、解錠時のみハンドルの回転操作が有効になるので、キーを有する管理者だけが扉体を動作させることができ、キーを有しない第三者が不正に扉体を動作させるトラブルを解消できるという利点を有する反面、ハンドルが回転軸の軸端部に複雑な構造で組み付けられているため、ハンドルを回転軸から容易に取り外すことができず、特に、屋外の過酷な環境に設置される機器を操作するためのハンドル操作装置の場合、施錠機構が故障しやすいという問題があった。
【０００７】
本発明は、上記従来のハンドル操作装置の有する問題点に鑑み、上記従来のハンドル操作装置の有する利点である、施錠機構のキーを有する管理者だけが機器を操作することができ、キーを有しない第三者が不正に機器を操作するといったトラブルを解消できるようにしながら、ハンドルを回転軸から容易に取り外すことができるようにしたハンドル操作装置を提供することを目的とする。
【課題を解決するための手段】
【０００８】
上記目的を達成するため、本発明のハンドル操作装置は、ハンドルを回転操作することによって、該ハンドルによって回転操作される回転軸を介して、機器を操作するようにしたハンドル操作装置において、回転軸の軸端部に嵌合する円柱形状の中心軸部材に、ハンドルの円筒形状の中心嵌合部を遊嵌し、中心軸部材に形成した嵌合凹部に、ハンドルに配設した施錠機構によって操作される嵌合部材を嵌合状態にすることによってハンドルが嵌合部材及び中心軸部材を介して回転軸とロックされる連結状態と、嵌合状態を解除することによってハンドルが回転軸とフリーになる非連結状態とに選択可能とし、回転軸の軸端部に対する中心軸部材の嵌合状態を解除することによってハンドルを回転軸から取り外すことができるようにしたことを特徴とする。
【０００９】
この場合において、前記嵌合凹部及び嵌合部材を等角度間隔に複数設け、前記施錠機構によって、連動機構を介して、複数の嵌合部材を操作するようにすることができる。
【発明の効果】
【００１０】
本発明のハンドル操作装置によれば、回転軸の軸端部に嵌合する円柱形状の中心軸部材に、ハンドルの円筒形状の中心嵌合部を遊嵌し、中心軸部材に形成した嵌合凹部に、ハンドルに配設した施錠機構によって操作される嵌合部材を嵌合状態にすることによってハンドルが嵌合部材及び中心軸部材を介して回転軸とロックされる連結状態と、嵌合状態を解除することによってハンドルが回転軸とフリーになる非連結状態とに選択可能とし、回転軸の軸端部に対する中心軸部材の嵌合状態を解除することによってハンドルを回転軸の軸端部から取り外すことができるようにすることにより、施錠機構のキーを有する管理者だけが機器を操作することができ、キーを有しない第三者が不正に機器を操作するといったトラブルを解消できるとともに、ハンドルを回転軸から容易に取り外すことができ、特に、屋外の過酷な環境に設置される機器を操作するためのハンドル操作装置の場合、ハンドルを回転軸から取り外して保管するようにすることで、施錠機構が故障することを防止することができる。
【００１１】
また、前記嵌合凹部及び嵌合部材を等角度間隔に複数設け、前記施錠機構によって、連動機構を介して、複数の嵌合部材を操作するようにすることにより、嵌合凹部及び嵌合部材の嵌合状態が安定し、大きな軸力を伝達するようにすることができる。
【図面の簡単な説明】
【００１２】
【図１】本発明のハンドル操作装置の第１実施例を示し、（ａ）は非連結状態、（ｂ）は連結状態の説明図である。
【図２】同ハンドル操作装置の部品の説明図である。
【図３】同ハンドル操作装置の部品の説明図である。
【図４】同ハンドル操作装置の部品の説明図である。
【図５】本発明のハンドル操作装置の第２実施例を示し、（ａ）は非連結状態、（ｂ）は連結状態の説明図である。
【図６】本発明のハンドル操作装置の第３実施例を示し、（ａ）は非連結状態、（ｂ）は連結状態の説明図である。
【図７】本発明のハンドル操作装置の第４実施例を示し、（ａ）は非連結状態、（ｂ）は連結状態の説明図である。
【図８】本発明のハンドル操作装置の第５実施例を示し、（ａ）は非連結状態、（ｂ）は連結状態の説明図である。
【図９】本発明のハンドル操作装置の第６実施例を示し、（ａ）は非連結状態、（ｂ）は連結状態の説明図である。
【発明を実施するための形態】
【００１３】
以下、本発明のハンドル操作装置の実施の形態を、図面に基づいて説明する。
【実施例１】
【００１４】
図１〜図３に、本発明のハンドル操作装置の第１実施例を示す。
このハンドル操作装置は、ハンドル１を回転操作することによって、ハンドル１によって回転操作される回転軸３を介して、機器を操作するようにしたハンドル操作装置において、回転軸３の軸端部３１に嵌合する円柱形状の中心軸部材２に、ハンドル１の円筒形状の中心嵌合部を遊嵌し、中心軸部材２に形成した嵌合凹部２１に、ハンドル１に配設した施錠機構４によって操作される嵌合部材６を嵌合状態にすることによってハンドル１が嵌合部材６及び中心軸部材２を介して回転軸３とロックされる連結状態と、嵌合状態を解除することによってハンドル１が回転軸３とフリーになる非連結状態とに選択可能とし、回転軸３の軸端部３１に対する中心軸部材２の嵌合状態を解除することによってハンドル１を回転軸３から取り外すことができるようにしている。
【００１５】
このハンドル操作装置は、施錠機構４のキーを有する管理者だけが機器を操作することができ、キーを有しない第三者が不正に機器を操作するといったトラブルを解消できるとともに、ハンドル１を回転軸３から容易に取り外すことができ、特に、屋外の過酷な環境に設置される機器を操作するためのハンドル操作装置の場合、ハンドル１を回転軸３から取り外して保管するようにすることで、施錠機構４が故障することを防止することができる。
【００１６】
この場合において、図４（ａ１）〜（ａ２）に示すように、回転軸３の軸端部３１は、四角柱形状に形成し、円柱形状の中心軸部材２の中心に、四角柱形状に形成した回転軸３の軸端部３１に嵌合することができる四角孔を形成するようにする。
【００１７】
ここで、管理者以外の第三者が、ハンドル１を回転軸３から容易に取り外すことができないように、ハンドル１を回転軸３に取り付けた状態で、図４（ｅ１）〜（ｅ２）に示す専用の工具１０によってしか操作できない（通常の工具では操作できない）、図４（ｂ１）〜（ｂ２）に示す特殊ねじ７を、回転軸３の軸端部３１に形成した雌ねじ部３２に装着し、中心軸部材２を回転軸３に固定するようにすることができる。
【００１８】
また、ハンドル１を回転軸３から取り外した状態では、四角柱形状に形成した回転軸３の軸端部３１が露出し、スパナ等を用いることによって管理者以外の第三者が不正に回転軸３を回転操作することが可能になる。
これを防止するため、図４（ｅ１）〜（ｅ２）に示す専用の工具１０によってしか操作できない（通常の工具では操作できない）、図４（ｃ１）〜（ｃ２）に示す外周面を円筒形状に形成した特殊ねじ８１を、図４（ｆ１）〜（ｆ２）に示すように、回転軸３の軸端部３１に形成した雌ねじ部３２に装着することにより、四角柱形状に形成した回転軸３の軸端部３１が露出しないようにすることができる。
さらに、安全を期す必要がある場合には、同じく専用の工具１０によってしか操作できない（通常の工具では操作できない）、図４（ｄ１）〜（ｄ３）に示す外周面を円筒形状に形成した円筒部材８２ａと特殊ねじ８２ｂとからなる複合部材を、図４（ｇ１）〜（ｇ２）に示すように、回転軸３の軸端部３１に形成した雌ねじ部３２に装着することにより、四角柱形状に形成した回転軸３の軸端部３１が露出しないようにするとともに、特殊ねじ８２ｂを締め付けた状態で円筒部材８２ａが空転するようにして、パイプレンチ等の工具を用いても回転軸３を回転操作することができないようすることができる。
【００１９】
ところで、本実施例のハンドル操作装置においては、嵌合凹部２１及び球形状の嵌合部材６並びに嵌合部材６が嵌合するハンドル１側の嵌合凹部１１を等角度間隔に複数設け（９０°間隔に４個ずつ設けるようにしている。）、施錠機構４によって、連動機構５を介して、複数の嵌合部材６を操作するようにしている。
ここで、連動機構５は、施錠機構４によって回動する歯車部材４０によって回転される歯車付き回転カムで構成するようにしている。
これにより、嵌合凹部２１及び嵌合部材６の嵌合状態が安定し、大きな軸力を伝達するようにすることができる。
【００２０】
また、中心軸部材２、連動機構５としての歯車付き回転カム及び嵌合部材６が、ハンドル１から分離しないようにするために、覆板９を設けるようにする。
【実施例２】
【００２１】
図５に、本発明のハンドル操作装置の第２実施例を示す。
このハンドル操作装置は、嵌合凹部２１及び球形状の嵌合部材６並びに嵌合部材６が嵌合するハンドル１側の嵌合凹部１１を等角度間隔に複数設け（９０°間隔に４個ずつ設けるようにしている。）、施錠機構４によって、連動機構５を介して、複数の嵌合部材６を操作するようにしている。
ここで、連動機構５は、施錠機構４によって回動する歯車部材４０によって回転される歯車付きの複数個の回転カムで構成するようにしている。
これにより、嵌合凹部２１及び嵌合部材６の嵌合状態が安定し、大きな軸力を伝達するようにすることができる。
【００２２】
また、ハンドル１の嵌合凹部１１と中心軸部材２の嵌合凹部２１の位置合わせをするための目印１２、２２を設けるようにする。
【００２３】
なお、本実施例のハンドル操作装置のその他の構成及び作用は、第１実施例のハンドル操作装置と同様である。
【実施例３】
【００２４】
図６に、本発明のハンドル操作装置の第３実施例を示す。
このハンドル操作装置は、嵌合凹部２１及び球形状の嵌合部材６並びに嵌合部材６が嵌合するハンドル１側の嵌合凹部１１を等角度間隔に複数設け（９０°間隔に４個ずつ設けるようにしている。）、施錠機構４によって、連動機構５を介して、複数の嵌合部材６を操作するようにしている。
ここで、連動機構５は、施錠機構４によって回動するクランクピン４１によって摺動されるカム板及びカム板が摺動することによってクランクピン５１によって回転される複数個の回転カム５０で構成するようにしている。
これにより、嵌合凹部２１及び嵌合部材６の嵌合状態が安定し、大きな軸力を伝達するようにすることができる。
【００２５】
なお、本実施例のハンドル操作装置のその他の構成及び作用は、第１及び第２実施例のハンドル操作装置と同様である。
【実施例４】
【００２６】
図７に、本発明のハンドル操作装置の第４実施例を示す。
このハンドル操作装置は、嵌合凹部２１を等角度間隔に複数設け（９０°間隔に４個設けるようにしている。）、球形状の嵌合部材６及び嵌合部材６が嵌合するハンドル１側の嵌合凹部１１を１個設け、施錠機構４によって、連動機構５を介して、嵌合部材６を操作するようにしている。
ここで、連動機構５は、施錠機構４によって回動する歯車部材４０によって回転される歯車付きの１個の回転カムで構成するようにしている。
これにより、嵌合部材６の操作機構を簡易に構成することができる。
【００２７】
なお、本実施例のハンドル操作装置のその他の構成及び作用は、第１及び第２実施例のハンドル操作装置と同様である。
【実施例５】
【００２８】
図８に、本発明のハンドル操作装置の第５実施例を示す。
このハンドル操作装置は、嵌合凹部２１を等角度間隔に複数設け（９０°間隔に４個設けるようにしている。）、球形状の嵌合部材６及び嵌合部材６が嵌合するハンドル１側の嵌合凹部１１を１個設け、施錠機構４によって、嵌合部材６を操作するようにしている。
ここで、施錠機構４は、嵌合部材６を操作する操作部４２としての回転カムを備えるようにしている。
これにより、嵌合部材６の操作機構を簡易に構成することができる。
【００２９】
また、ハンドル１の嵌合凹部１１と中心軸部材２の嵌合凹部２１の位置合わせをしたときのズレθを吸収するため、中心軸部材２の嵌合凹部２１を嵌合部材６よりやや大きく形成する（ここでは、嵌合凹部２１が平面部を有するように形成するようにしている。）ことができる。
【００３０】
なお、本実施例のハンドル操作装置のその他の構成及び作用は、第１及び第２実施例のハンドル操作装置と同様である。
【実施例６】
【００３１】
図９に、本発明のハンドル操作装置の第６実施例を示す。
このハンドル操作装置は、嵌合凹部２１を等角度間隔に複数設け（９０°間隔に４個設けるようにしている。）、軸形状の嵌合部材６及び嵌合部材６が嵌合するハンドル１側の嵌合凹部１１を１個設け、施錠機構４によって、連動機構５を介して、嵌合部材６を操作するようにしている。
ここで、連動機構５は、施錠機構４によって回動するクランクピン４１によって摺動されるカム板を備え、カム板に嵌合部材６を一体的に形成して構成するようにしている。
これにより、嵌合部材６の操作機構を簡易に構成することができる。
【００３２】
なお、本実施例のハンドル操作装置のその他の構成及び作用は、第１及び第２実施例のハンドル操作装置と同様である。
【００３３】
以上、本発明のハンドル操作装置について、複数の実施例に基づいて説明したが、本発明は上記実施例に記載した構成に限定されるものではなく、その趣旨を逸脱しない範囲において適宜その構成を変更することができるものである。
【産業上の利用可能性】
【００３４】
本発明のハンドル操作装置は、施錠機構のキーを有する管理者だけが機器を操作することができ、キーを有しない第三者が不正に機器を操作するといったトラブルを解消できるようにしながら、ハンドルを回転軸から容易に取り外すことができるという特性を有していることから、屋外の過酷な環境に設置される機器を操作するためのハンドル操作装置、例えば、農業用水路を開閉するために設置される水路のゲート装置等の機器を操作するためのハンドル操作装置の用途に好適に用いることができるほか、各種ハンドル操作装置の用途に広く用いることができる。
【符号の説明】
【００３５】
１  ハンドル
１１  嵌合凹部
２  中心軸部材
２１  嵌合凹部
３  回転軸
３１  軸端部
３２  雌ねじ部
４  施錠機構
５  連動機構
６  嵌合部材
７  特殊ねじ
８１  特殊ねじ
８２ａ  円筒部材
８２ｂ  特殊ねじ
９  覆板
１０  専用の工具
【図１】
0006556603.tif 000002
【図２】
0006556603.tif 000003
【図３】
0006556603.tif 000004
【図４】
0006556603.tif 000005
【図５】
0006556603.tif 000006
【図６】
0006556603.tif 000007
【図７】
0006556603.tif 000008
【図８】
0006556603.tif 000009
【図９】
0006556603.tif 000010